(57)【特許請求の範囲】
【請求項１】
建物の基礎の近傍で外壁に設けられた開口部に取り付けられる配管カバーであって、
前記開口部に挿入される横長のベースと、
このベースを覆う横長のカバー本体と、
を備え、
前記ベースに、前記外壁の裏面側を上階から下階まで配設される配管を前記外壁の外側に導出するための孔が横一列に複数設けられ、
前記カバー本体は、前記外壁の裏面側から前記孔を通して前記外壁の外側へ導出される配管の一部と前記複数の孔とを覆うように構成されており、
前記ベースは、前記外壁に設けられた横長矩形の前記開口部に挿入されている状態で、鉛直に配置される横長矩形のベース鉛直部と、このベース鉛直部の長辺および短辺の少なくとも一方から前記外壁の壁面まで立設するベース立設部と、このベース立設部の外壁の壁面側の端部から外方に延設し前記外壁の壁面に当接するベース当接部とから構成され、
前記複数の孔は、前記ベース鉛直部に設けられ、
さらに、前記カバー本体は、前記ベースを覆っている状態において、前記ベース鉛直部と対向配置している横長矩形のカバー前面部と、このカバー前面部の両短辺から前記ベース鉛直部の短辺側にそれぞれ延設しているカバー側壁部と、前記カバー前面部の長辺上部から前記ベース鉛直部の長辺上部側に延設しているカバー上面部と、前記カバー側壁部のベース側の端部から外方に延設し前記壁面または前記ベース当接部に当接するカバー側壁当接部と、前記カバー上面部のベース側の端部から外方に延設し前記壁面または前記ベース当接部に当接するカバー上面当接部とから構成され、
前記カバー前面部から前記ベース当接部までの距離は、前記複数の孔のうち一番大きい孔を通る配管の大きさに合わせて、予め定められている、
ことを特徴とする配管カバー。
【請求項２】
請求項１に記載の配管カバーにおいて、
前記複数の孔の大きさは、前記配管の大きさに合わせてそれぞれ予め定められていることを特徴とする配管カバー。
【請求項３】
請求項１または２に記載の配管カバーが前記外壁の開口部に取り付けられている配管カバー取付構造において、
前記建物の基礎上に前記外壁が配置され、前記基礎の近傍の前記外壁に前記開口部が設けられ、
前記建物の上階から前記建物の基礎上に向けて前記外壁の裏面側を前記開口部まで、前記配管が配設され、
前記配管カバーは、前記ベースの一部を前記開口部に挿入し、前記ベースの他部を前記外壁の壁面に当接し、前記開口部まで配設されている配管を前記複数の孔のいずれか１つから前記外壁の外側に導出し、かつ、前記カバー本体によって前記外壁の外側へ導出される配管の一部と前記複数の孔とを覆った状態で前記外壁に取り付けられている、
ことを特徴とする配管カバー取付構造。
【請求項４】
請求項３に記載の配管カバー取付構造において、
前記建物のガレージに隣接した前記基礎上に前記外壁が配置され、このガレージの外側を向いている前記外壁の表面に、前記配管カバーが取り付けられている、
ことを特徴とする配管カバー取付構造。
【発明の詳細な説明】
【技術分野】
【０００１】
本発明は、配管カバーおよび配管カバー取付構造に関する。
【背景技術】
【０００２】
従来、外壁の壁面側にパイプシャフトを設けて、このパイプシャフトに上階の外壁から下階の外壁に沿って配設された複数の配管を通す構造が採用されていた（特許文献１）。特許文献１は、２階建て以上のユニット建物の配管構造において、下階建物ユニットの外壁から上階建物ユニットの外壁に沿って立上がるパイプシャフトを設けることを開示している。
【先行技術文献】
【特許文献】
【０００３】
【特許文献１】特開２００１−３２３５６３号公報
【発明の概要】
【発明が解決しようとする課題】
【０００４】
しかし、下階建物ユニットの外壁から上階建物ユニットの外壁に沿って立上がるパイプシャフトは、大型の配管カバーで形成されているため、外部から目立つ構造であった。また、配管を屋内から外壁の壁面側に配設するために、上階の配管の位置に対応した孔を外壁にその都度設ける必要があった。
【０００５】
本発明は、小さくて外部から目立ちにくく、上階の配管の位置に対応した孔を外壁にその都度設ける必要のない配管カバーおよび配管カバー取付構造を提供することを目的とする。
【課題を解決するための手段】
【０００６】
上記課題を解決するために、請求項１に記載の発明は、例えば、図１〜図５に示すように、
建物１の基礎６０の近傍で外壁５０に設けられた開口部３０に取り付けられる配管カバー２５であって、
前記開口部３０に挿入される横長のベース１０Ａ，１０Ｂと、
このベース１０Ａ，１０Ｂを覆う横長のカバー本体２０と、
を備え、
前記ベース１０Ａ，１０Ｂに、前記外壁５０の裏面側を上階２００から下階１００まで配設される配管４０を前記外壁５０の外側に導出するための孔１１ａ〜１１ｄが横一列に複数設けられ、
前記カバー本体２０は、前記外壁５０の裏面側から前記孔１１ａ〜１１ｄを通して前記外壁５０の外側へ導出される配管４０の一部と前記複数の孔１１ａ〜１１ｄとを覆うように構成されており、
前記ベース１０Ａ，１０Ｂは、前記外壁５０に設けられた横長矩形の前記開口部３０に挿入されている状態で、鉛直に配置される横長矩形のベース鉛直部１０ａと、このベース鉛直部１０ａの長辺および短辺の少なくとも一方から前記外壁５０の壁面まで立設するベース立設部１０ｂ１，１０ｂ２と、このベース立設部１０ｂ１，１０ｂ２の外壁５０の壁面側の端部から外方に延設し前記外壁５０の壁面に当接するベース当接部１０ｃ１，１０ｃ２とから構成され、
前記複数の孔１１ａ〜１１ｄは、前記ベース鉛直部１０ａに設けられ、
さらに、前記カバー本体２０は、前記ベース１０Ａ，１０Ｂを覆っている状態において、前記ベース鉛直部１０ａと対向配置している横長矩形のカバー前面部２０ａと、このカバー前面部２０ａの両短辺から前記ベース鉛直部１０ａの短辺側にそれぞれ延設しているカバー側壁部２０ｂと、前記カバー前面部２０ａの長辺上部から前記ベース鉛直部１０ａの長辺上部側に延設しているカバー上面部２０ｃと、前記カバー側壁部２０ｂのベース１０Ｂ側の端部から外方に延設し前記壁面または前記ベース当接部１０ｃ２に当接するカバー側壁当接部２０ｄと、前記カバー上面部２０ｃのベース１０Ａ側の端部から外方に延設し前記壁面または前記ベース当接部１０ｃ１に当接するカバー上面当接部２０ｅとから構成され、
前記カバー前面部２０ａから前記ベース当接部１０ｃ１，１０ｃ２までの距離は、前記複数の孔１１ａ〜１１ｄのうち一番大きい孔１１ａを通る配管４１の大きさに合わせて、予め定められている、
ことを特徴とする。
【０００７】
請求項１に記載の発明によれば、前記カバー本体２０は、前記外壁５０の裏面側から前記孔１１ａ〜１１ｄを通して前記外壁５０の外側へ導出される配管４０の一部と前記複数の孔１１ａ〜１１ｄとを覆うように構成されているので、カバー本体２０の大きさを前記開口部３０に挿入されるベース１０Ａ，１０Ｂを覆う大きさにすればよい。前記開口部の大きさは、前記配管４０等を前記外壁５０の外側へ導出する前記複数の孔１１ａ〜１１ｄに対応した大きさにすればよく、ベース１０Ａ，１０Ｂおよび前記カバー本体２０の大きさも前記開口部の大きさに対応した大きさにすればよい。よって、前記配管４０等のための前記複数の孔１１ａ〜１１ｄに対応した前記開口部３０は小さいものとなる。
例えば、孔１１ａが１００ｍｍ、孔１１ｂ〜１１ｄが５０ｍｍの場合、横一列に並んだ孔１１ａ〜１１ｄの直径の合計は２５０ｍｍであるので、この場合、隣り合う孔１１ａ〜１１ｄの間隔を考慮しても開口部３０の外壁の幅方向の長さが３００ｍｍ、高さが１２０ｍｍあれば十分である。よって、小さくて目立ちにくい配管カバー２５を提供することができる。
また、前記ベース１０Ａ，１０Ｂは前記配管４０を前記外壁５０の外側に導出するための孔１１ａ〜１１ｄが横一列に複数設けられて構成されているので、複数の孔１１ａ〜１１ｄを外壁５０の幅方向に予め設けてあることとなり、上階２００の配管４０の位置に対応した孔１１ａ〜１１ｄを外壁５０にその都度設ける必要のない配管カバー２５を提供することができる
また、配管カバー２５を小さくすることおよび上階２００の配管４０の位置に対応した孔１１ａ〜１１ｄを外壁５０にその都度設ける手間をなくすことにより、作業効率を向上することができる。
さらに、前記ベース１０Ａ，１０Ｂが前記横長矩形のベース鉛直部１０ａと前記ベース立設部１０ｂ１，１０ｂ２と前記ベース当接部１０ｃ１，１０ｃ２とから構成されているので、前記横長矩形の開口部３０に前記横長矩形のベース鉛直部１０ａが挿入されると、前記ベース当接部１０ｃ１，１０ｃ２が外壁５０の壁面に当接されて、前記外壁５０に対する前記ベース１０Ａ，１０Ｂの位置決めを容易にすることができる。
加えて、前記カバー本体２０は、前記横長矩形のカバー前面部２０ａと、前記カバー側壁部２０ｂと、前記カバー上面部２０ｃと、前記カバー側壁当接部２０ｄと、前記カバー上面当接部２０ｅとから構成されているので、配管４０の一部および前記複数の孔１１ａ〜１１ｄ等を覆って、外部から見えなくするとともに、前記配管４０の一部を保護することができる。また、前記カバー前面部２０ａから前記ベース当接部１０ｃ１，１０ｃ２までの距離は、前記複数の孔１１ａ〜１１ｄのうち一番大きい孔１１ａを通る配管４１の大きさに合わせて、予め定められているので、配管の大きさが変わっても、前記カバー本体２０を取り替える必要がなく同じものを使用することができる。
【０００８】
請求項２に記載の発明は、例えば、図１、図２に示すように、
請求項１に記載の配管カバー２５において、
前記複数の孔１１ａ〜１１ｄの大きさは、前記配管４０の大きさに合わせてそれぞれ予め定められている、
ことを特徴とする。
【０００９】
請求項２に記載の発明によれば、前記複数の孔１１ａ〜１１ｄの大きさが前記配管４０の大きさに合わせてそれぞれ予め定められているので、その都度大きさの異なる孔１１ａ〜１１ｄを外壁５０に設ける必要がなくなって、作業効率を向上することができる。
【００１４】
請求項３に記載の発明は、例えば、図１〜図７に示すように、
請求項１または２に記載の配管カバー２５が前記外壁５０の開口部３０に取り付けられている配管カバー取付構造において、
前記建物１の基礎６０上に前記外壁５０が配置され、前記基礎６０の近傍の前記外壁５０に前記開口部３０が設けられ、
前記建物１の上階２００から前記建物１の基礎６０上に向けて前記外壁５０の裏面側を前記開口部３０まで、前記配管４０が配設され、
前記配管カバー２５は、前記ベース１０Ａ，１０Ｂの一部を前記開口部３０に挿入し、前記ベース１０Ａ，１０Ｂの他部を前記外壁５０の壁面に当接し、前記開口部３０まで配設されている配管４０を前記複数の孔１１ａ〜１１ｄのいずれか１つから前記外壁５０の外側に導出し、かつ、前記カバー本体２０によって前記外壁５０の外側へ導出される配管４０の一部と前記複数の孔１１ａ〜１１ｄとを覆った状態で前記外壁５０に取り付けられている、
ことを特徴とする。
【００１５】
請求項３に記載の発明によれば、前記建物１の上階２００から前記建物１の基礎６０上に向けて前記外壁５０の裏面側を前記開口部３０まで、前記配管４０が配設されているので、外壁５０の表面側に沿って配設される配管部分が少なくなって、カバー本体２０で覆う部分が小さいベース１０Ａ，１０Ｂとすることができる。よって、前記ベース１０Ａ，１０Ｂを小さくすることができるとともに、前記カバー本体２０も小さくすることができるので、小さくて目立ちにくい配管カバー取付構造を提供することができる。
また、前記ベース１０Ａ，１０Ｂの一部を前記開口部３０に挿入し、前記ベース１０Ａ，１０Ｂの他部を前記外壁５０の壁面に当接しているので、前記ベース１０Ａ，１０Ｂの位置決めを容易にして取り付けることができる。
また、前記ベース１０Ａ，１０Ｂが前記開口部３０まで配設されている配管４０を前記複数の孔１１ａ〜１１ｄのいずれか１つから前記外壁５０の外側に導出した状態で前記外壁５０の壁面に取り付けられているので、前記外壁５０の幅方向における上階２００からの配管４０の位置が異なっても、外壁５０にその都度孔を設けるといった手間がかからない。
また、前記カバー本体２０によって前記外壁５０の外側へ導出される配管４０の一部と前記複数の孔１１ａ〜１１ｄとを覆った状態で、前記外壁５０の壁面に取り付けられているので、前記配管４０の一部および前記複数の孔１１ａ〜１１ｄ等を覆って、外部から見えなくするとともに、前記配管４０の一部を保護することができる。
【００１６】
請求項４に記載の発明は、例えば、図１〜図７に示すように、
請求項３に記載の配管カバー取付構造において、
前記建物１のガレージ１０５に隣接した前記基礎６０上に前記外壁５０が配置され、このガレージ１０５の外側を向いている前記外壁５０の表面に、前記配管カバー２５が取り付けられている、
ことを特徴とする。
【００１７】
請求項４に記載の発明によれば、前記建物１のガレージ１０５に隣接した前記基礎６０上に前記外壁５０が配置され、このガレージ１０５の外側を向いている前記外壁５０の表面に、前記配管カバー２５が取り付けられているので、前記配管カバー２５を取り付けている外壁５０のガレージ１０５側のスペースを有効利用することができる。
【発明の効果】
【００１８】
本発明によれば、小さくて外部から目立ちにくく、上階の配管の位置に対応した孔を外壁にその都度設ける必要のない配管カバーおよび配管カバー取付構造を提供することができる。
【図面の簡単な説明】
【００１９】
【図１】本発明に係る配管カバーの一例を示す図であり、建物の外壁に設けられた開口部と配管カバーの分解斜視図を示す。
【図２】同、配管カバーのベースの変形例を示す図である。
【図３】本発明に係る配管カバーの取付構造を示す図であり、図５のＩ−Ｉ断面図である。
【図４】本発明に係る配管カバーが取り付けられている建物を示す図であり、建物の正面図である。
【図５】同、建物の左側面図である。
【図６】同、建物の１階の平面図である。
【図７】同、建物の２階の平面図である。
【発明を実施するための形態】
【００２０】
以下、図面を参照して本発明の実施の形態について説明する。
【００２１】
＜実施の形態＞
（建物）
図１に示す配管カバー２５は、図４〜図７に示す建物１の外壁５０に取り付けられている。図４〜図７に示す建物１は、例えば、工場生産された建物ユニット、各種建築部品を建設現場で組み立てることにより建てられる３階建ての組立家屋であり、屋根は切妻屋根である。１階は本発明の下階１００に相当し、２階は本発明の上階２００に相当する。
【００２２】
図４に示すように、１階の左にガレージ１０５が設けられ、ガレージ１０５の左側に外壁５０が設けられ、この外壁５０の壁面に配管カバー２５が取り付けられている。この配管カバー２５は、ガレージ１０５上の２階に設置されているバスタブ４３から１階まで延設されている配管４０の一部を覆っている。また、このガレージ１０５への出入口として、１階の左のガレージ１０５の奥側の壁に引違い式の掃出し窓１０６が設けられている。また、１階の玄関扉１１１からガレージ１０５まで屋根７０が設けられている。
図５に示すように、建物１の左側において、１階の中央部に開口が設けられ、ガレージ１０５が見えるようになっている。この開口の右側に配管カバー２５が取り付けられている外壁５０が設けられている。
【００２３】
図６に示すように、１階には、平面視において、ガレージ１０５が設けられ、ガレージ１０５の左側に隣接して、外壁５０が配置されている。外壁５０は、ガレージ１０５の外側にあって、対向配置された２つの柱５１，５１に取り付けられている。また、壁材５２が、ガレージ１０５側に設けられ、対向配置された２つの柱５１，５１に取り付けられている。また、柱５１，５１間は空間となっており、この空間に、上階からの配管４０が、配設され、かつ、基礎６０の近傍で前記外壁５０の外側に導出されている。前記外壁５０の外側に導出されている配管４０の一部は、配管カバー２５で覆われている。外壁５０は室内空間と隣接していないため、ガレージ１０５の左側の外壁５０と壁材５２との間には、断熱材を入れる必要がなく、配管４０を配設するのに適している。１階がガレージ１０５の場合に、外壁５０の裏面側に配管４０を通し、配管４０がなるべく外部に露出しないようにできる。
【００２４】
また、１階には、平面視において、ガレージ１０５の右側に隣接して、玄関１１０、ホール１２０、シャワーブース１７０、洗面所１６０が、建物１の正面側から背面側に順に配置され、ガレージ１０５の奥側に隣接して、工房１５０が配置されている。また、ホール１２０から建物１の背面側に、ウォークインクローゼット１３０、主寝室１４０が順に配置され、主寝室１４０と工房１５０は隣接している。
【００２５】
図７に示すように、２階には、平面視において、ガレージ１０５の上に浴室２０５が配置され、この浴室２０５にバスタブ４３が設置されている。図４および図５に示すように、浴室２０５のバスタブ４３等からの排水は、２階の床下に配設された配管４０により建物１の外部に排出される。この配管４０は２階の床下から外壁５０側に配設され、外壁５０の裏面側を通って、基礎６０の近傍で前記外壁５０の外側に導出されている。
【００２６】
図７に示すように、２階には、平面視において、浴室２０５から右側に、洗面所２１０、トイレ２２０、階段２３０が順に配置されている。浴室２０５から建物１の背面側に、キッチン２７０が配置されている。キッチン２７０から右側に、ダイニング２６０、リビング２４０が順に配置されている。また、建物１の背面側にリビング２４０に隣接してバルコニー２５０が配置されている。
【００２７】
（配管カバー）
図１において、配管カバー２５は、開口部３０に挿入される横長矩形のベース１０Ａとこのベース１０Ａを覆う横長矩形のカバー本体２０とを備える。建物１の外壁５０の開口部３０に横長矩形のベース１０Ａが挿入され、外壁５０に横長矩形のベース１０Ａと横長矩形のカバー本体２０とがビス２６で取り付けられる。
【００２８】
（ベース１０Ａ）
前記ベース１０Ａは、前記外壁５０の裏面側を２階から１階まで配設される配管４０を前記建物１の基礎６０の近傍で前記外壁５０の外側に導出するための孔１１ａ〜１１ｄが横一列に複数設けられて構成されている。前記複数の孔１１ａ〜１１ｄの大きさは、前記配管４０等の大きさに合わせてそれぞれ予め定められている。
【００２９】
前記ベース１０Ａは、前記外壁５０に設けられた横長矩形の前記開口部３０に挿入されている状態で、鉛直に配置される横長矩形のベース鉛直部１０ａと、このベース鉛直部１０ａの上下の長辺から前記外壁５０の壁面まで立設するベース立設部１０ｂ１と、このベース立設部１０ｂ１の外壁５０の壁面側の端部から外方に延設し前記外壁５０の壁面に当接するベース当接部１０ｃ１とから構成されている。
【００３０】
前記複数の孔１１ａ〜１１ｄは、前記ベース鉛直部１０ａに横一列に設けられている。孔１１ａは、例えば、径１００ｍｍのトイレ用の配管４１（図３参照）に使用され、２階に浴室２０５の代わりに、トイレが設置される場合に使用される。また、孔１１ｂ〜１１ｄは、例えば、径５０ｍｍの浴室２０５用の配管４０（図３参照）に使用される。
【００３１】
孔１１ｂ〜１１ｄが浴室２０５用の配管４０が使用される場合において、バスタブの大きさにより使用される孔１１ｂ〜１１ｄが異なる。
例えば、図５において、標準の大きさのバスタブより大きいバスタブを使用すると、標準の大きさのバスタブに比べて、バスタブの排水口の位置が外壁５０の左側に位置することとなる。これに伴い、標準の大きさのバスタブに比べて、配管４０の位置が外壁５０の左側に位置することとなる。図５において、標準の大きさのバスタブより小さいバスタブを使用すると、標準の大きさのバスタブに比べて、バスタブの排水口の位置が外壁５０の右側に位置することとなる。これに伴い、標準の大きさのバスタブに比べて、配管４０の位置が外壁５０の右側に位置することとなる。
このように、バスタブの大きさが変わっても、予め横一列に複数の孔１１ｂ〜１１ｄが設けられているため、バスタブから延出される配管４０の位置に合わせて、その都度外壁５０に孔を設ける必要がない。
なお、孔１１ｂ〜１１ｄは、例えば、径５０ｍｍの洗面所用の配管４０用の孔として使用される場合もある。このように、前記ベース鉛直部１０ａに横一列に複数の孔１１ａ〜１１ｄが設けられているので、その都度外壁５０に孔を設ける必要がなく、かつ、２階からの配管４０の位置に合わせることができる。
【００３２】
図１に示すように、ベース鉛直部１０ａの上側のベース立設部１０ｂ１から外方に延設しているベース当接部１０ｃ１には、外壁５０の壁面にビス止めするための複数の孔が横方向に設けられている。なお、ベース鉛直部１０ａの下側のベース立設部１０ｂ１から外方に延設しているベース当接部１０ｃ１にも、外壁５０の壁面にビス止めするための複数の孔が横方向に設けられていてもよい。
【００３３】
（カバー本体２０）
図１および図３に示すように、前記カバー本体２０は、前記外壁５０の裏面側から前記孔１１ｂを通して前記外壁５０の外側へ導出される配管４０の一部（屈曲部）と前記複数の孔１１ａ，１１ｂ，１１ｃとを覆うように構成されている。
【００３４】
前記カバー本体２０は、前記ベース１０Ａを覆っている状態において、前記ベース鉛直部１０ａと対向配置している横長矩形のカバー前面部２０ａと、このカバー前面部２０ａの両短辺から前記ベース鉛直部１０ａの短辺側にそれぞれ延設しているカバー側壁部２０ｂと、前記カバー前面部２０ａの長辺上部から前記ベース鉛直部１０ａの長辺上部側に延設しているカバー上面部２０ｃとから構成されている。図４および図５に示すように、前記カバー本体２０の下方には部材を設けず開放され、前記カバー本体２０の下方に配管４０が延設されている。
【００３５】
更に、前記カバー本体２０は、前記カバー側壁部２０ｂのベース１０Ａ側の端部から外方に延設し前記壁面に当接するカバー側壁当接部２０ｄと、前記カバー上面部２０ｃのベース１０Ａ側の端部から外方に延設し前記ベース当接部１０ｃ１に当接するカバー上面当接部２０ｅとから構成されている。
【００３６】
図１および図３に示すように、カバー側壁当接部２０ｄにはビス用の複数の孔が設けられ、複数のビス２６で外壁５０にカバー本体２０が取り付けられる。カバー上面当接部２０ｅには、ベース当接部１０ｃ１に設けられている複数の孔と重なるように、複数の孔がそれぞれ横方向に設けられている。また、カバー上面当接部２０ｅの孔とベース当接部１０ｃ１の孔とが重なった状態で、複数のビス２６で外壁５０にカバー本体２０が取り付けられる。
【００３７】
前記カバー前面部２０ａから前記ベース当接部１０ｃ１までの距離は、前記複数の孔１１ａ〜１１ｄのうち一番大きい孔１１ａを通る配管４１の大きさに合わせて、予め定められている。例えば、一番大きい孔１１ａを通る径１００ｍｍの配管４１に合わせて、前記カバー前面部２０ａから前記ベース当接部１０ｃ１までの距離（カバー側壁部の幅）を１２０ｍｍと設定する。
【００３８】
（配管カバー取付構造）
図１、図３〜図５に示すように、前記建物１のガレージ１０５に隣接した基礎６０上に前記外壁５０が配置され、このガレージ１０５の外側に前記外壁５０の表面が向けられている。前記建物１の２階から前記建物１の基礎６０上に向けて前記外壁５０の裏面側を前記開口部３０まで、前記配管４０が配設されている。前記ベース１０Ａは、前記開口部に前記ベース鉛直部１０ａとベース立設部１０ｂ１，１０ｂ２とが挿入され、前記外壁５０の壁面にベース当接部１０ｃ１，１０ｃ２が当接し、前記開口部３０まで配設されている配管４０を前記複数の孔１１ａ〜１１ｄうち孔１１ｂから前記外壁５０の外側に導出して前記外壁５０の壁面に取り付けられている。前記カバー本体２０は、前記外壁５０の裏面側から前記孔１１ｂを通して前記外壁５０の外側へ導出される配管４０の一部（屈曲部）と前記複数の孔１１ａ，１１ｂ，１１ｃとを覆っている。
【００３９】
本実施の形態によれば、前記カバー本体２０は、前記外壁５０の裏面側から前記孔１１ａ〜１１ｄを通して前記外壁５０の外側へ導出される配管４０の一部と前記複数の孔１１ａ〜１１ｄとを覆うように構成されているので、カバー本体２０の大きさを前記開口部３０に挿入されるベース１０Ａ，１０Ｂを覆う大きさにすればよい。前記開口部の大きさは、前記配管４０等を前記外壁５０の外側へ導出する前記複数の孔１１ａ〜１１ｄに対応した大きさにすればよく、ベース１０Ａ，１０Ｂおよび前記カバー本体２０の大きさも前記開口部の大きさに対応した大きさにすればよい。よって、前記配管４０等のための前記複数の孔１１ａ〜１１ｄに対応した前記開口部３０は小さいものとなる。
例えば、孔１１ａが１００ｍｍ、孔１１ｂ〜１１ｄが５０ｍｍの場合、横一列に並んだ孔１１ａ〜１１ｄの直径の合計は２５０ｍｍであるので、この場合、隣り合う孔１１ａ〜１１ｄの間隔を考慮しても開口部３０の外壁の幅方向の長さが３００ｍｍ、高さが１２０ｍｍあれば十分である。よって、小さくて目立ちにくい配管カバー２５を提供することができる。
また、前記ベース１０Ａに前記配管４０を前記外壁５０の外側に導出するための孔１１ａ〜１１ｄが横一列に複数設けられて構成されているので、複数の孔１１ａ〜１１ｄを外壁５０の幅方向に予め設けてあることとなり、２階の配管４０の位置に対応した孔１１ａ〜１１ｄを外壁５０にその都度設ける必要のない配管カバー２５を提供することができる。
また、配管カバー２５を小さくすることおよび２階の配管４０の位置に対応した孔１１ａ〜１１ｄを外壁５０にその都度設ける手間をなくすことにより、作業効率を向上することができる。
【００４０】
また、前記複数の孔１１ａ〜１１ｄの大きさが前記配管４０、４１の大きさに合わせてそれぞれ予め定められているので、その都度大きさの異なる孔１１ａ〜１１ｄを外壁５０に設ける必要がなくなって、作業効率を向上することができる。
【００４１】
また、前記ベース１０Ａが前記横長矩形のベース鉛直部１０ａと前記ベース立設部１０ｂ１と前記ベース当接部１０ｃ１とから構成されているので、前記横長矩形の開口部３０に前記横長矩形のベース鉛直部１０ａが挿入されると、前記ベース当接部１０ｃ１が外壁５０の壁面に当接されて、前記外壁５０に対する前記ベース１０Ａの位置決めを容易にすることができる。
【００４２】
また、前記カバー本体２０は、前記横長矩形のカバー前面部２０ａと、前記カバー側壁部２０ｂと、前記カバー上面部２０ｃと、前記カバー側壁当接部２０ｄと、前記カバー上面当接部２０ｅとから構成されているので、配管４０の一部および前記複数の孔１１ａ，１１ｃ，１１ｄを覆って、外部から見えなくするとともに、前記配管４０の一部を保護することができる。また、前記カバー前面部２０ａから前記ベース当接部１０ｃ１までの距離は、前記複数の孔１１ａ〜１１ｄのうち一番大きい孔１１ａを通る配管４１の大きさに合わせて、予め定められているので、配管の大きさが変わっても、前記カバー本体２０を取り替える必要がなく同じものを使用することができる。
【００４３】
また、前記建物１の２階から前記建物１の基礎６０上に向けて前記外壁５０の裏面側を前記開口部３０まで、前記配管４０が配設されているので、外壁５０の表面側に沿って配設される配管部分が少なくなって、カバー本体２０で覆う部分が小さいベース１０Ａとすることができる。よって、前記ベース１０Ａを小さくすることができるとともに、前記カバー本体２０も小さくすることができるので、小さくて目立ちにくい配管カバー取付構造を提供することができる。
また、前記ベース１０Ａの一部を前記開口部３０に挿入し、前記ベース１０Ａの他部を前記外壁５０の壁面に当接しているので、前記ベース１０Ａの位置決めを容易にして取り付けることができる。
また、前記ベース１０Ａが前記開口部３０まで配設されている配管４０を前記複数の孔１１ａ〜１１ｄのうち孔１１ｂから前記外壁５０の外側に導出した状態で前記外壁５０の壁面に取り付けられているので、前記外壁５０の幅方向における２階からの配管４０の位置が異なっても、外壁５０にその都度孔を設けるといった手間がかからない。
また、前記カバー本体２０によって前記外壁５０の外側へ導出される配管４０の一部と前記複数の孔１１ａ〜１１ｄとを覆った状態で、前記外壁５０の壁面に取り付けられているので、前記配管４０の一部および前記複数の孔１１ａ〜１１ｄ等を覆って、外部から見えなくするとともに、前記配管４０の一部を保護することができる。
【００４４】
また、前記建物１のガレージ１０５に隣接した前記基礎６０上に前記外壁５０が配置され、このガレージ１０５の外側を向いている前記外壁５０の表面に、前記配管カバー２５が取り付けられているので、前記配管カバー２５を取り付けている外壁５０のガレージ１０５側のスペースを有効利用することができる。
【００４５】
（変形例）
次に、図２を参照して、変形例について以下説明する。上記実施の形態においては、前記ベース１０Ａが、鉛直に配置される横長矩形のベース鉛直部１０ａと、このベース鉛直部１０ａの上下の長辺から前記外壁５０の壁面まで立設するベース立設部１０ｂ１と、このベース立設部１０ｂ１の外壁５０の壁面側の端部から外方に延設し前記外壁５０の壁面に当接するベース当接部１０ｃ１とから構成されている例について説明したが、これに限られない。なお、変形例においては、上記実施の形態と同じ部材には同一の符号を付し、説明を省略する。
【００４６】
（ベース１０Ｂ）
図２に示す前記ベース１０Ｂは、図１に示すベース１０Ａの代わりに使用される。図１および図２に示すように、前記ベース１０Ｂは、前記外壁５０の裏面側を２階から１階まで配設される配管４０を前記建物１の基礎６０の近傍で前記外壁５０の外側に導出するための孔１１ａ〜１１ｄが横一列に複数設けられて構成されている。前記複数の孔１１ａ〜１１ｄの大きさは、前記配管４０，４１の大きさに合わせてそれぞれ予め定められている。
【００４７】
前記ベース１０Ｂは、前記外壁５０に設けられた横長矩形の前記開口部３０に挿入されている状態で、鉛直に配置される横長矩形のベース鉛直部１０ａと、このベース鉛直部１０ａの左右の短辺から前記外壁５０の壁面まで立設するベース立設部１０ｂ２と、このベース立設部１０ｂ２の外壁５０の壁面側の端部から外方に延設し前記外壁５０の壁面に当接するベース当接部１０ｃ２とから構成されている。
また、図１に示すベース１０Ａに、図２に示すベース立設部１０ｂ２とベース当接部１０ｃ２とを設けて、ベースを構成してもよい。
【符号の説明】
【００４９】
１     建物
１０Ａ，１０Ｂ       ベース
１０ａ ベース鉛直部
１０ｂ１，１０ｂ２   ベース立設部
１０ｃ１，１０ｃ２   ベース当接部
１１ａ〜１１ｄ       孔
２０   カバー本体
２０ａ カバー前面部
２０ｂ カバー側壁部
２０ｃ カバー上面部
２０ｄ カバー側壁当接部
２０ｅ カバー上面当接部
２５   配管カバー
２６   ビス
３０   開口部
４０，４１    配管
４３   バスタブ
５０   外壁
５１   柱
５２   壁材
６０   基礎
１０５ ガレージ
【図１】
0005841003.tif 000002
【図２】
0005841003.tif 000003
【図３】
0005841003.tif 000004
【図４】
0005841003.tif 000005
【図５】
0005841003.tif 000006
【図６】
0005841003.tif 000007
【図７】
0005841003.tif 000008